【手続補正書】
【提出日】平成29年6月16日(2017.6.16)
【手続補正１】
【補正対象書類名】特許請求の範囲
【補正対象項目名】請求項１
【補正方法】変更
【補正の内容】
【請求項１】
電子機器と、ネットワークを通じて同電子機器と通信する管理サーバーと、を備える処理管理システムであって、
前記管理サーバーは、
前記電子機器にログインするユーザーに関する情報であるユーザー情報を同電子機器から受信したときに、同ユーザー情報から特定されるアカウントであるサーバー側アカウントを取得するサーバー側アカウント取得部と、
前記サーバー側アカウントと、前記電子機器での利用を許可する処理であるサーバー側許可処理とを関連付けて管理するサーバー側管理部と、
前記サーバー側アカウント取得部によって取得された前記サーバー側アカウントに関連付けられている前記サーバー側許可処理に関する情報を前記サーバー側管理部から読み出すサーバー側読み出し部と、を有し、
前記電子機器は、
同電子機器にログインするために前記ユーザー情報が入力されたときに、同ユーザー情報を前記管理サーバーに送信する機器側通信部と、
前記ユーザー情報の入力に基づき、前記電子機器を利用するためのアカウントである機器側アカウントを取得する機器側アカウント取得部と、
前記機器側アカウントと、前記電子機器での利用を許可する処理である機器側許可処理とを関連付けて管理する機器側管理部と、
前記機器側アカウント取得部によって取得された前記機器側アカウントに関連付けられている前記機器側許可処理に関する情報を前記機器側管理部から読み出す機器側読み出し部と、
前記サーバー側許可処理に関する情報及び前記機器側許可処理に関する情報に基づき、前記管理サーバー及び前記電子機器の双方で利用の許可されている処理の実行を許可する実行許可部と、
前記実行許可部によって許可されている前記処理の実行が要求されたときに、同処理を実行する制御部と、を有する
ことを特徴とする処理管理システム。
【手続補正２】
【補正対象書類名】特許請求の範囲
【補正対象項目名】請求項４
【補正方法】変更
【補正の内容】
【請求項４】
前記電子機器が管理する前記機器側アカウントは、前記管理サーバーが前記電子機器とアクセスするための通信用の機器側アカウントと、前記管理サーバーによる前記電子機器へのアクセスを不要とするための非通信用の機器側アカウントと、を含んでおり、
前記電子機器の前記機器側アカウント取得部は、
前記管理サーバーから前記サーバー情報を受信したときには、同サーバー情報から特定されるアカウントを前記通信用の機器側アカウントとして取得する一方、
前記電子機器と前記管理サーバーとの通信が不能な状況下で、同電子機器にログインするために前記ユーザー情報が入力されたときには、前記非通信用の機器側アカウントを取得し、
前記電子機器の前記機器側読み出し部は、
前記機器側アカウント取得部によって取得されているアカウントが前記通信用の機器側アカウントであるときには、同通信用の機器側アカウントに関連付けられている前記機器側許可処理に関する情報を前記機器側管理部から読み出す一方、
前記機器側アカウント取得部によって取得されているアカウントが前記非通信用の機器側アカウントであるときには、同非通信用の機器側アカウントに関連付けられている前記機器側許可処理に関する情報を前記機器側管理部から読み出し、
前記電子機器の前記実行許可部は、
前記機器側アカウント取得部によって取得されているアカウントが前記通信用の機器側アカウントであるときには、前記サーバー側許可処理に関する情報、及び、前記通信用の機器側アカウントに関連付けられている前記機器側許可処理に関する情報に基づき、前記管理サーバー及び前記電子機器の双方で利用の許可されている処理の実行を許可する一方、
前記機器側アカウント取得部によって取得されているアカウントが前記非通信用の機器側アカウントであるときには、前記非通信用の機器側アカウントに関連付けられている前記機器側許可処理に関する情報に基づき、前記電子機器で利用の許可されている処理の実行を許可する
請求項３に記載の処理管理システム。
【手続補正３】
【補正対象書類名】特許請求の範囲
【補正対象項目名】請求項８
【補正方法】変更
【補正の内容】
【請求項８】
前記電子機器は、前記ネットワークを通じて複数の前記管理サーバーと通信可能であり、
前記機器側アカウントとして、前記各管理サーバーのうち第１の管理サーバーに対応する第１の機器側アカウントと、前記各管理サーバーのうち第２の管理サーバーに対応する第２の機器側アカウントとが用意されており、
前記電子機器の前記機器側読み出し部は、
前記サーバー情報から特定される前記機器側アカウントが前記第１の機器側アカウントであるときには、同第１の機器側アカウントに関連付けられている前記機器側許可処理に関する第１の情報を前記機器側管理部から読み出す一方、
前記サーバー情報から特定される前記機器側アカウントが前記第２の機器側アカウントであるときには、同第２の機器側アカウントに関連付けられている前記機器側許可処理に関する第２の情報を前記機器側管理部から読み出し、
前記電子機器の前記実行許可部は、
前記サーバー情報から特定される前記機器側アカウントが、前記第１の機器側アカウントであるときには、前記サーバー側許可処理に関する情報及び前記第１の情報に基づき、前記第１の管理サーバー及び前記電子機器の双方で利用の許可されている処理の実行を許可する一方、
前記サーバー情報から特定される前記機器側アカウントが、前記第２の機器側アカウントであるときには、前記サーバー側許可処理に関する情報及び前記第２の情報に基づき、前記第２の管理サーバー及び前記電子機器の双方で利用の許可されている処理の実行を許可する
請求項２〜請求項７のうち何れか一項に記載の処理管理システム。
【手続補正４】
【補正対象書類名】特許請求の範囲
【補正対象項目名】請求項９
【補正方法】変更
【補正の内容】
【請求項９】
前記電子機器は、前記機器側読み出し部によって読み出された前記機器側許可処理に関する情報と、前記管理サーバーの前記サーバー側読み出し部によって読み出された前記サーバー側許可処理に関する情報とを比較し、前記電子機器及び前記管理サーバーの双方で利用の許可されている処理を把握する把握部を有し、
前記電子機器の前記実行許可部は、前記把握部によって前記電子機器及び前記管理サーバーの双方で利用の許可されていることが把握されている処理の実行を許可する
請求項１に記載の処理管理システム。
【手続補正５】
【補正対象書類名】特許請求の範囲
【補正対象項目名】請求項１０
【補正方法】変更
【補正の内容】
【請求項１０】
前記管理サーバーは、
前記サーバー側読み出し部によって読み出された前記サーバー側許可処理に関する情報と、前記電子機器の前記機器側読み出し部によって読み出された前記機器側許可処理に関する情報とに基づき、前記電子機器及び前記管理サーバーの双方で利用の許可されている処理を把握する把握部と、
前記把握部による把握結果に関する情報である把握許可情報を前記電子機器に送信するサーバー側通信部と、を有し、
前記電子機器の前記実行許可部は、前記管理サーバーから前記把握許可情報を受信したときに、前記把握部によって前記電子機器及び前記管理サーバーの双方で利用の許可されていることが把握されている処理の実行を許可する
請求項１に記載の処理管理システム。
【手続補正６】
【補正対象書類名】特許請求の範囲
【補正対象項目名】請求項１１
【補正方法】変更
【補正の内容】
【請求項１１】
ネットワークを通じて管理サーバーと通信する電子機器であって、
同電子機器にログインするユーザーに関する情報であるユーザー情報が入力されたときに、同ユーザー情報を前記管理サーバーに送信する機器側通信部と、
前記ユーザー情報の入力に基づき、前記電子機器を利用するためのアカウントである機器側アカウントを取得する機器側アカウント取得部と、
前記機器側アカウントと、前記電子機器での利用を許可する処理である機器側許可処理とを関連付けて管理する機器側管理部と、
前記機器側アカウント取得部によって取得された前記機器側アカウントに関連付けられている前記機器側許可処理に関する情報を前記機器側管理部から読み出す機器側読み出し部と、
前記ユーザー情報を送信した前記管理サーバーから、前記電子機器で利用が許可されている処理であるサーバー側許可処理に関する情報を受信したときに、前記機器側許可処理に関する情報及び前記サーバー側許可処理に関する情報に基づき、前記管理サーバー及び前記電子機器の双方で利用の許可されている処理の実行を許可する実行許可部と、
前記実行許可部によって許可されている前記処理の実行が要求されたときに、同処理を実行する制御部と、を有する
ことを特徴とする電子機器。
【手続補正７】
【補正対象書類名】特許請求の範囲
【補正対象項目名】請求項１２
【補正方法】変更
【補正の内容】
【請求項１２】
ネットワークを通じて電子機器と通信する管理サーバーであって、
前記電子機器は、同電子機器にログインするユーザーに関する情報であるユーザー情報が入力されると、同ユーザー情報の入力に基づいて機器側アカウントを取得し、同取得した機器側アカウントに対応する処理である機器側許可処理に関する情報を前記管理サーバーに送信するようになっており、
前記ユーザー情報を同電子機器から受信したときに、同ユーザー情報から特定されるアカウントであるサーバー側アカウントを取得するサーバー側アカウント取得部と、
前記サーバー側アカウントと、前記電子機器での利用を許可する処理であるサーバー側許可処理とを関連付けて管理するサーバー側管理部と、
前記サーバー側アカウント取得部によって取得された前記サーバー側アカウントに関連付けられている前記サーバー側許可処理に関する情報を前記サーバー側管理部から読み出すサーバー側読み出し部と、
前記サーバー側読み出し部によって読み出された前記サーバー側許可処理に関する情報と、前記電子機器から受信した前記機器側許可処理に関する情報とに基づき、前記管理サーバー及び前記電子機器の双方で利用の許可されている処理を把握する把握部と、
前記把握部による把握結果に関する情報である把握許可情報を前記電子機器に送信するサーバー側通信部と、を有する
ことを特徴とする管理サーバー。
【手続補正８】
【補正対象書類名】特許請求の範囲
【補正対象項目名】請求項１３
【補正方法】変更
【補正の内容】
【請求項１３】
電子機器と、ネットワークを通じて同電子機器と通信する管理サーバーと、を備える処理管理システムに適用される電子機器の処理管理方法であって、
前記管理サーバーでは、同管理サーバーで管理しているアカウントであるサーバー側アカウントと、前記電子機器での利用を許可する処理であるサーバー側許可処理とが関連付けて管理され、
前記電子機器では、同電子機器で管理しているアカウントである機器側アカウントと、同電子機器での利用を許可する処理である機器側許可処理とが関連付けて管理されており、
前記管理サーバーに、
前記電子機器にログインするユーザーに関する情報であるユーザー情報を同電子機器から受信したときに、同ユーザー情報から特定される前記サーバー側アカウントを取得させるサーバー側アカウント取得ステップと、
前記サーバー側アカウント取得ステップで取得した前記サーバー側アカウントに関連付けられている前記サーバー側許可処理に関する情報を読み出させるサーバー側読み出しステップと、を実行させ、
前記電子機器に、
同電子機器にログインするために前記ユーザー情報が入力されたときに、同ユーザー情報を前記管理サーバーに送信させるユーザー情報送信ステップと、
前記ユーザー情報の入力に基づき、前記機器側アカウントを取得させる機器側アカウント取得ステップと、
前記機器側アカウント取得ステップで取得した前記機器側アカウントに関連付けられている前記機器側許可処理に関する情報を読み出させる機器側読み出しステップと、
前記サーバー側許可処理に関する情報及び前記機器側許可処理に関する情報に基づき、前記管理サーバー及び前記電子機器の双方で利用の許可されている処理の実行を許可する実行許可ステップと、
前記実行許可ステップで許可した前記処理の実行が要求されたときに同処理を実行させる制御ステップと、を実行させる
ことを特徴とする電子機器の処理管理方法。